(57)【要約】【課題】操作性が良く、清掃性の高いタッチパネル入力装置を提供する。【解決手段】タッチパネル入力装置Ｍ２は、表示画面２ａを有するディスプレイ２と、表示画面２ａ上に配置されるタッチセンサ部３０と、を具備したタッチパネル入力装置Ｍ２において、弾性を有する保護カバー３５を表示画面２ａ上に離間させて配置した。【選択図】図１１
2007310441.tif 000002
【特許請求の範囲】
【請求項１】
表示画面を有するディスプレイと、
前記表示画面上に配置されるタッチセンサ部と、
を具備したタッチパネル入力装置において、
弾性を有し、且つ光透過性を有する前記表示画面を保護する保護カバーを、前記表示画面と平行する面において前記表示画面から離間させて配置したことを特徴とするタッチパネル入力装置。
【請求項２】
表示画面を有するディスプレイと、
前記表示画面に離間して配置されるセンサ部と、
を具備した非接触入力装置において、
前記表示画面に対向して配置される光透過性を有する基体と、当該基体の周縁から前記センサ部の内側に延びて配置される光透過性を有する側壁と、を含んで構成される保護カバーを具備していることを特徴とする非接触入力装置。
【請求項３】
前記保護カバーの基体と側壁との境目が曲折して形成されていることを特徴とする請求項２に記載の非接触入力装置。
【請求項４】
前記保護カバーの下端部に液体を外部に排出する液体排出部が形成されていることを特徴とする請求項２、又は３に記載の非接触入力装置。
【請求項５】
前記保護カバーの基体と側壁との下端部の境目に形成されている曲率半径が前記保護カバーの基体と側壁との上端部の境目に形成されている曲率半径よりも大きいことを特徴とする請求項３に記載の非接触入力装置。
【請求項６】
表示画面を有するディスプレイと、
前記表示画面上に配置されるタッチセンサ部と、
を具備したタッチパネル入力装置に取り付けられる前記表示画面を保護する保護カバーであって、
前記保護カバーは、
弾性を有し、且つ光透過性を有する部材からなり、
前記表示画面と平行する面において前記表示画面から離間させて配置されていることを特徴とする保護カバー。
【請求項７】
表示画面を有するディスプレイと、
前記表示画面に離間して配置されるセンサ部と、
を具備した非接触入力装置に取り付けられる保護カバーであって、
前記保護カバーは、
前記表示画面に対向して配置される基体と、当該基体の周縁から前記センサ部の内側に延びて配置される側壁とを含み、前記ディスプレイ及びセンサ部に対する光透過性を有することを特徴とする保護カバー。
【発明の詳細な説明】
【技術分野】
【０００１】
本願は、表示画面に表示された項目等からなる情報を表示画面上で選択可能なタッチパネル／非接触入力装置等に関する。
【背景技術】
【０００２】
従来から、表示画面上に表示された項目等からなる情報に接触することで当該情報を選択可能な接触式のタッチパネル入力装置が存在する。当該接触式のタッチパネル入力装置としては、例えば抵抗膜方式のタッチパネル入力装置が知られている。
【０００３】
抵抗膜方式のタッチパネル入力装置は、表示画面上に二枚の抵抗膜がスペースをとって配置され、利用者が表示画面に表示された項目（情報）を押下することにより、２枚の抵抗膜が接触し通電する。通電した電気信号を検出することによりその押下された位置の座標を特定するものである。
【０００４】
また、近年では、表示画面に接触せずに、当該表示画面上に表示されている情報を選択可能な非接触入力装置も存在する。当該非接触入力装置としては、例えば表示画面上で離間させて赤外線を略格子状に放射させ、利用者の指などが当該赤外線を遮断することにより当該遮断された座標を特定するものである（特願２００５−１４４３９５号参照）。
【発明の開示】
【発明が解決しようとする課題】
【０００５】
接触式のタッチパネル入力装置を、例えば、衛生管理を徹底しなければならない食品工場等に適用した場合には、表示画面をタッチする前に手袋を外し、操作後に手をアルコール消毒して手袋を再装着しなければならず、面倒である。また、手に油等が付着した状態で操作を行う機械工場に適用した場合には、表示画面がすぐに汚れてしまい、そのままの状態で使用すれば誤操作などの問題を生じるため当該表示画面を適宜清掃する必要性があり、表示画面をきれいな状態に保つのは容易でない。
【０００６】
また、抵抗膜式等、直接シートにタッチするような接触式のタッチパネル入力装置は、繰り返し使用することにより、シートが破れるなどの問題が生じる。
【０００７】
また、非接触入力装置を当該食品工場や機械工場に適用した場合には、直接表示画面などに接触する必要はないが、使用しているうちに表示画面に指などが接触してしまい、その場合には、手を消毒する必要が生じるとともに、表示画面が汚れてしまうなど操作に気を使い、操作性が悪いという問題が生じる。
【０００８】
本願は上記各問題点の解決を課題の一例として為されたもので、第１の目的として表示画面を保護するとともに清掃性の良いタッチパネル入力装置や非接触入力装置等を提供することを目的とする。また、第２の目的として、使い勝っての良いタッチパネル入力装置や非接触入力装置等を提供することを目的とする。
【課題を解決するための手段】
【０００９】
上記課題を解決するために、請求項１に記載のタッチパネル入力装置（Ｍ２）は、表示画面（２ａ）を有するディスプレイ（２）と、前記表示画面上に配置されるタッチセンサ部（３０）と、を具備したタッチパネル入力装置において、弾性を有し、且つ光透過性を有する前記表示画面を保護する保護カバー（３５）を前記表示画面上に離間させて配置したことを特徴とする。
【００１０】
このように構成されたタッチパネル入力装置は、保護カバーによって表示画面に表示される情報が透過された状態で表示画面が保護されるようになっている。また、利用者が操作するにあたって、保護カバーを介してタッチセンサ部が押圧されるようになっている。
【００１１】
また、請求項２に記載の非接触入力装置（Ｍ）は、表示画面を有するディスプレイと、前記表示画面に離間して配置されるセンサ部（５）と、を具備した非接触入力装置において、前記表示画面に対向して配置される光透過性を有する基体（１０ａ）と、当該基体の周縁から前記タッチセンサ部の内側に延びて配置される光透過性を有する側壁（１０ｂ）と、を含んで構成される保護カバー（１０）を具備していることを特徴とする。
【００１２】
このように構成された非接触入力装置は、保護カバーによって表示画面に表示される情報が透過された状態で表示画面とセンサ部が保護されるようになっている。
【００１３】
また、請求項３に記載の非接触入力装置は、請求項２に記載の非接触入力装置において、前記保護カバーの基体と側壁との境目が曲折して形成されていることを特徴とする。
【００１４】
このように構成された非接触入力装置は、保護カバーを清掃する際に保護カバーの隅部を容易に清掃できるようになっている。
【００１５】
また、請求項４に記載の非接触入力装置は、請求項２、又は３に記載の非接触入力装置において、前記保護カバーの下端部に液体を外部に排出する液体排出部（１１）が形成されていることを特徴とする。
【００１６】
このように構成された非接触入力装置は、保護カバー内に水などの液体が留まることなく、外部に排出される。
【００１７】
また、請求項５に記載の非接触入力装置は、請求項３に記載の非接触入力装置において、前記保護カバーの基体と側壁との下端部の境目に形成されている曲率半径が前記保護カバーの基体と側壁との上端部の境目に形成されている曲率半径よりも大きいことを特徴とする。
【００１８】
このように構成された非接触入力装置は、保護カバー内に水などの液体が留まることなく、当該液体が保護カバーの下端部に形成された曲折部に沿って外部に排出される。
【００１９】
また、請求項６に記載の保護カバーは、表示画面を有するディスプレイと、前記表示画面上に配置されるタッチセンサ部と、を具備したタッチパネル入力装置に取り付けられる前記表示画面を保護する保護カバーであって、前記保護カバーは、弾性を有し、且つ光透過性を有する部材からなり、前記表示画面と平行する面において前記表示画面から離間させて配置されていることを特徴とする。
【００２０】
このように構成された保護カバーは、表示画面に表示される情報が透過された状態で表示画面及びタッチパネルが容易に保護されるようになっている。また、利用者がタッチパネル入力装置を操作するにあたって、タッチセンサ部が保護カバーを介して押圧されるようになっている。
【００２１】
また、請求項７に記載の保護カバーは、表示画面を有するディスプレイと、前記表示画面に離間して配置されるセンサ部と、を具備した非接触入力装置に取り付けられる保護カバーであって、前記保護カバーは、前記表示画面に対向して配置される基体と、当該基体の周縁から前記タッチセンサ部の内側に延びて配置される側壁と、を含み、前記ディスプレイ及びセンサ部に対する光透過性を有することを特徴とする。
【００２２】
このように構成された保護カバーは、表示画面に表示される情報が透過された状態で表示画面とセンサ部が容易に保護され、センサ部を働かせて非接触入力装置として動作できるようになっている。
【発明を実施するための最良の形態】
【００２３】
以下、本願の最良の実施形態について、図１乃至図１２を用いて詳細に説明する。図１は本願に係る非接触入力装置のディスプレイ部分の正面図、図２は図１のＡ−Ａ断面図、図３はセンサ部の説明図、図４は保護カバーの概要図、図５は保護カバーの他の形態を示す断面図、図６は保護カバーの他の形態を示す断面図、図７は非接触入力装置の構造の一例を示す全体図、図８は非接触入力装置の構造の一例を示す分解図、図９は非接触入力装置の構造の一例を示す断面図、図１０はタッチパネル入力装置に用いられる保護カバーの形態を示す断面図、図１１はタッチパネル入力装置に用いられる保護カバーの他の形態を示す断面図、図１２はタッチパネル入力装置に用いられる保護カバーの他の形態を示す断面図である。
【００２４】
なお、以下に説明する実施の形態は、一実施例として、非接触入力装置に保護カバーを適用した場合の実施形態を示すものであるが、この実施形態に限定されるものではなく、後述するように、たとえば、抵抗膜方式などの接触式のタッチパネル入力装置に保護カバーを適用することも可能である。
【００２５】
本実施形態の非接触入力装置Ｍは、図１及び図２に示すように、例えば液晶表示素子（ＬＣＤ）からなる表示画面２ａを有するディスプレイ２と、表示画面２ａの外周縁であって前記表示画面２ａと平行する面において前記表示画面２ａから離間させて配置され、ＬＥＤまたは半導体レーザ等の収束光Ｌを縦及び横方向に入射させてなるセンサ部５と、当該表示画面２ａの前方であってセンサ部５の内側に配置される保護カバー１０と、を含んで構成される。
【００２６】
センサ部５は、図３に示すように、ＬＥＤまたは半導体レーザ等、例えば収束光Ｌを出射させる発光素子６ａを複数備えた発光部６と、当該発光素子６ａから出射されるレーザ光を受光する受光素子７ａを複数備えた受光部７と、を備えている。当該発光素子６ａ及び受光素子７ａは、表示画面２ａの周縁に沿って、且つ当該表示画面２ａから前方に離間されて備えられている。具体的には、図３に示すように、発光素子６ａは、表示画面２ａの上端部及び右端部に設けられ、受光素子７ａは、表示画面２ａの下端部及び左端部に設けられている。このようにして、センサ部５は、図３中矢印に示すように、表示画面２ａの上端部に設けられた発光素子６ａから出射される収束光を表示画面２ａの下端部に設けられた受光素子７ａで受けるとともに、表示画面２ａの右端部に設けられた発光素子６ａから出射される収束光Ｌを表示画面２ａの左端部に設けられた受光素子７ａで受けるようになっている。そして、例えば、表示画面２ａ上において、収束光Ｌが利用者の指などで遮られることにより、センサ部５は、当該遮られた収束光Ｌの発光素子６ａ及び受光素子７ａの情報に基づいて遮られた指の位置を検出するようになっている。
【００２７】
また、図２に示すように、センサ部５はディスプレイ２から前方に離間された状態で鉄製のフレーム１５に取り付けられており、当該フレーム１５には保護カバー１０の端部１０ｃがゴム磁石などの磁性体１６で挟まれて取り付けられている。また、保護カバー１０は、単にフレーム１５に両面テープなどで貼着して固定したり、ボルト締め、マジックテープ（登録商標）などで着脱可能にフレーム１５に固定されても構わない。このようにして保護カバー１０は、フレーム１５に対して容易に着脱可能になっている。よって、保護カバー１０を取り替えるなどの場合でもその作業を容易に行うことが可能になっている。
【００２８】
このように構成された非接触入力装置Ｍは、図２に示すように、例えば、利用者が、表示画面２ａ上に表示されている項目１〜４などから構成される情報Ｉ（図１参照）を、指やラスタなどの情報指示手段８などで表示画面２ａに接触することなく指示することにより、当該指示した情報Ｉを指定することが可能となっている。具体的には、利用者が、表示画面２ａ上に表示されている情報Ｉ１〜Ｉ４の中から指定した情報（例えば、Ｉ１）を選択する場合に、指やラスタなどの情報指示手段８を、表示画面２ａに表示されている情報Ｉ１に対し収束光Ｌを遮る位置まで近接させることによって、センサ部５は収束光Ｌが遮られた遮断位置を検出するようになっている。
【００２９】
また、予め表示画面２ａに表示されているそれぞれの情報Ｉ１〜Ｉ４に前記遮断されるであろう位置の領域が対応づけられており、情報指示手段８によって収束光Ｌが遮られることにより、当該遮断位置に対応するそれぞれの情報Ｉ１〜Ｉ４が図示しない制御部によって検出されるようになっている。
【００３０】
このようにして、利用者は、表示画面２ａに対して非接触で指定したい情報（例えばＩ１）を指定することが可能となっている。
【００３１】
保護カバー１０は、図２及び図４に示すように、矩形状の基体１０ａと、その外周縁から前方に延びるように立設される４枚の側壁１０ｂと、を備えており、当該４枚の側壁１０ｂの端部１０ｃはそれぞれが外側に折り曲げられて形成されている。
【００３２】
この保護カバー１０は、図１及び図２に示すように、基体１０ａが表示画面２ａの前方に対向して配置され、側壁１０ｂがセンサ部５の内側に配置されるように取り付けられており、外部からの表示画面２ａ及び発光素子６ａの出射面や受光素子７ａの受光面への接触が防止されるようになっている。
【００３３】
また、保護カバー１０は、ＰＥＴ若しくはＰＰなどの材料により光透過性を有して形成されており、図４中矢印に示すように、当該基体１０ａは、表示画面２ａに表示される文字や図形などが透過されるようになっており、側壁１０ｂは、収束光Ｌが透過されるようになっている。
【００３４】
また、図２及び図４に示すように、保護カバー１０を形成する基体１０ａの外周縁と４枚の側壁１０ｂとの境目及び4枚の側壁同士は、所定の曲率半径ｒを有するように曲折されて、１０ｃの端部も含めて水密性を有する一体成型とされていることが好ましい。
【００３５】
または、保護カバー１０を形成する基体１０ａの外周縁と４枚の側壁１０ｂ及び端部１０ｃが接合されていて、４枚の側壁および端部同士が接合されていない形態もある。この場合には、一枚の板から展開図を切断した後に折り曲げて容易に作ることができ、製造コストが低減できる。
【００３６】
このようにすれば、保護カバー１０内を清掃などする際の掃除が容易にできる。
【００３７】
なお、基体１０ａは、表示画面２ａに表示された情報を利用者に見せる必要があるため、透明であることが好ましいが、側壁１０ｂは収束光Ｌを透過できればよいため、色彩が施されてあっても構わない。
【００３８】
また、図５に示すように、保護カバー１０を形成する基体１０ａと側壁１０ｂの下端部の境目には、何らかの要因により保護カバー１０の内部に溜まる水を外部に放出するための孔や溝などの水抜き部１１が形成されていると良い。このようにすれば、例えば濡れた指などで表示画面２ａ上の情報Ｉの指定が行われた際に当該指から水などの液体が垂れても、その水抜き部１１によって液体を外部に放出できるので、保護カバー１０の下端部に液体が溜まることを防止できる。なお、水抜き部１１は、必ずしも保護カバー１０を形成する基体１０ａと側壁１０ｂの下端部の境目に設けられている必要はなく、保護カバー１０の下端部側壁１０ｂの一部に設けられていれば良い。
【００３９】
また、図６に示すように、図５に示す水抜き部１１に換えて、保護カバー１０を形成する基体１０ａと側壁１０ｂの下端部の境目の曲率半径Ｒを大きく形成するようにしても良い。当該保護カバーの下端部の境目に形成されている曲率半径は、保護カバーの上端部の境目に形成されている曲率半径よりも大きいことが望ましい。このようにすれば、例えば濡れた指などで表示画面２ａ上の情報Ｉの指定が行われた際に当該指から水などの液体が垂れても、そのＲによって液体を外部に放出できるので、保護カバー１０の下端部に液体が溜まることを防止できる。
【００４０】
このように構成された非接触入力装置Ｍは、表示画面２ａが保護カバー１０の基体１０ａにより表示画面２ａに表示される情報が透過された状態で保護されているため、例えば、表示画面２ａ上に表示されている情報Ｉを指定する際に、表示画面２ａに情報指示手段８の先端が突き当てられて表示画面２ａが破損するのを防止したり、指などが表示画面２ａに接触しても容易に清掃できたり、容易に保護カバーを交換できたりするなど使い勝手が良い。さらに、センサ部５は保護カバー１０の側壁１０ｂにより保護されているため、例えば、誤ってセンサ部５の発光素子６ａや受光素子７ａに指やラスタなどの情報指示手段８が直接接触することを防止できるので、発光素子６ａや受光素子７ａの破損や汚れによる照射不良、受光不良が生じることを防止できる。
【００４１】
次に、非接触入力装置の他の具体的な構造の一例について説明する。
【００４２】
本実施形態の非接触入力装置Ｍ１は、図７乃至図９に示すように、基台２０に取り付けられた表示画面２ａを有するディスプレイ２と、表示画面２ａの前方周縁に取り付けられるセンサ部５を備えたフレーム２１と、当該ディスプレイ２の上部と連結するとともにディスプレイ２の側部を保持して前記表示画面２ａ及びフレーム２１の前方に配置される支持体２２と、前記フレーム２１の内側及び表示画面２ａの前方に配置される保護カバー１０と、保護カバー１０の端部１０ｃを前記支持体２２との間で挟んで保持する保持体２３と、を備えて構成されている。また、フレーム２１、支持体２２、及び保持体２３には、内側に表示画面の大きさを有する開口２１ａ、２２ａ、２３ａがそれぞれ形成されている。
【００４３】
また、フレーム２１は支持体２２にねじ等で固定され、鉄等の強磁性材料で作られている支持体２２に対して、保持体２３は、支持体２２側に取り付けられたゴム製の永久磁石などによって取り付けられ、保護カバー１０は、支持体２２の前方で、その端部１０ｃが支持体２２と保持体２３に挟まれて取り付けられている。
【００４４】
また、保持体２３を使用することなく、保護カバー１０をフレーム２２に両面テープ等で固定しても良いし、同じく保持体２３を用いることなく、保護カバー１０を支持体２２よりディスプレイ２側に置いて、保護カバー１０の端部１０ｃを支持体２２とセンサ部５で挟むことで固定しても良い。
【００４５】
このように構成された非接触入力装置は、組み立てが容易にできるとともに、一般に使用されているディスプレイ２に容易にセンサ部５と保護カバー１０とを取り付けて組み立て可能になっており、当該センサ部５と保護カバー１０とを取り付けるコストなどを容易に低減することが可能となっている。
【００４６】
次に、接触式のタッチパネル装置の構造に保護カバーを適用した一例について説明する。
【００４７】
図１０に示すように、本実施形態の接触式のタッチパネル装置Ｍ２は、表示画面２ａを有するディスプレイ２と、当該表示画面２ａ上に配置されるタッチセンサ部３０と、このタッチセンサ部３０の前方に前記表示画面２ａと平行する面において前記表示画面２ａから離間させて配置される前記表示画面２ａを保護する保護カバー３５と、を含んで構成される。
【００４８】
タッチセンサ部３０としては、抵抗膜方式、静電容量式、超音波方式、電磁誘導方式などが適用される。
【００４９】
このような接触式のタッチパネル装置Ｍ２は、表示画面２ａに表示されている情報に対し直接タッチセンサ部３０又は表示画面２ａに接触することによって、その接触した位置をタッチセンサ部３０が検出し、当該検出した位置に基づいて利用者が接触した情報を検出するようになっている。
【００５０】
保護カバー３５は、タッチパネル部３０の前方に離間して配置されている。また、保護カバー３５は、所定の弾性力を有するようにＰＥＴ、ＰＰ、若しくはシリコン膜などの部材により光透過性を有して形成されているとともに、図１０に示すように、表示画面２ａに対応する部分に凹部３５ａを有して形成されている。なお、保護カバー３５の端部３５ｂはディスプレイ２の縁部２ｂに両面テープなどで固定される。なお、保護カバー３５はマジックテープ（登録商標）などを用いて着脱可能にディスプレイ２の縁部２ｂに取り付けられも構わない。このようにすれば、保護カバー３５を容易に取り替えることが可能となる。
【００５１】
タッチパネル部３０を操作する際には、保護カバー３５が、図１０（ｂ）に示すように、指などの押圧によって変形し、当該保護カバー３５を介してタッチパネル部３０が間接的に押圧されるようになっている。なお、指を離すと元の状態に戻るようになっている。
【００５２】
また、保護カバー３５は、図１１に示すように、平板状であっても構わない。
【００５３】
さらに、図１２に示すように、タッチセンサ部３０の表面３０ａとディスプレイ２の縁部２ｂ表面とが平滑に形成されている場合には、保護カバー３５は、表示画面２ａに対応する部分が凸部３５ｃを有して形成されたものを適用すればよい。
【００５４】
このようにして構成された接触式のタッチパネル装置Ｍ２は、図１０乃至図１２に示すように、タッチセンサ部３０によってカバー部材３５を介して間接的に接点が検出される。また、押圧される際に、点というよりは、むしろ面で押圧されるため、抵抗膜方式などのように格子状に配線が形成されている場合には、当該配線が容易に切断されることを防止し、当該配線の耐久性を上げることが容易にできる。
【００５５】
また、表示画面２ａは保護カバー３５によって当該表示画面２ａに表示される情報が透過された状態で保護されているため、例えば、表示画面２ａ上に表示されている情報Ｉを指定する際に、指などが表示画面２ａに接触して当該表示画面２ａが汚れても、清掃や保護カバー３５自体の交換が容易にできる。
【００５６】
なお、本実施形態は一形態であって、この形態に限定されるものではない。例えば、上記タッチパネル入力装置Ｍ２及び非接触入力装置Ｍにおいて、保護カバー１０、３５に視野制御フィルムを貼り付け、画面の周囲から利用者が指示する支持内容が見えないようにしても構わない。
【００５７】
また、保護カバー１０、３５に導電性を設けるとともに、保護カバー１０、３５の取り付け個所にアース接続端子を設けて、当該保護カバー１０、３５への帯電を防止し、静電気による保護カバー１０、３５へのゴミの付着を防止したり、放電の発生を防止したりするようにしても構わない。
【００５８】
さらに、保護カバー１０、３５の表面に酸化チタンなどを被膜して自浄機能をもたせ、保護カバー１０、３５の表面における雑菌の発生を低減するようにしても構わない。
【００５９】
さらにまた、保護カバー１０、３５に殺虫剤などを含浸させて、保護カバー１０、３５の周縁に殺虫機能をもたせ、当該保護カバー１０、３５の周縁における虫の付着を防止するようにしても構わない。
【００６０】
さらに、非接触入力装置は、上記実施形態に限られるものではなく、画面上に非接触で当該画面上に表示される情報を選択などできるものであればどのような形態であっても構わない。例えば、非接触入力装置のセンサ部は、米ＪｅｓｔｅｒＴｅｋから販売されている製品名「ＪｅｓｔＰｏｉｎｔ（登録商標）」のように、表示画面の上部左右にビデオカメラを備え、この２台が手の動きを読み取るような形態であってもよい。また、表示画面の上下左右のいずれか一端部に赤外光などを画面内に放出するＬＥＤを備え、指などによって表示画面上の情報が指示されることにより、当該赤外光が指に当たって反射する反射光を表示画面の上部左右に備えられたリニアアレイセンサなどで受信して、当該指の表示画面上の位置を特定するような形態であっても構わない。
【００６１】
さらに、表示画面を有するディスプレイはＬＣＤ（液晶ディスプレイ）だけてなく、ＣＲＴ（陰極線管）、ＰＤＰ（プラズマディスプレイ）、有機ＥＬ（有機ＥＬディスプレイ）、ＦＥＤ（電界放射型ディスプレイ）、電子ペーパー、ＬＥＤマトリクス、投影型ディスプレイ等の他のアクティブ表示方式や、情報が記載された紙、フィルム等の媒体であって人によって差し替えたり、巻き戻したりする形態であっても構わない。
【図面の簡単な説明】
【００６２】
【図１】非接触入力装置のディスプレイ部分の正面図である。
【図２】図１のＡ−Ａ断面図である。
【図３】センサ部の説明図である。
【図４】保護カバーの概要図である。
【図５】保護カバーの他の形態を示す断面図である。
【図６】保護カバーの他の形態を示す断面図である。
【図７】非接触入力装置の構造の一例を示す全体図である。
【図８】非接触入力装置の構造の一例を示す分解図である。
【図９】非接触入力装置の構造の一例を示す断面図である。
【図１０】保護カバーの他の形態を示す断面図であって、図１０（ａ）は、保護カバーが表示画面の前方に取り付けられた状態図、図１０（ｂ）は保護カバーを介してタッチセンサ部が押圧された状態図である。
【図１１】保護カバーの他の形態を示す断面図であって、図１１（ａ）は、保護カバーが表示画面の前方に取り付けられた状態図、図１１（ｂ）は保護カバーを介してタッチセンサ部が押圧された状態図である。
【図１２】保護カバーの他の形態を示す断面図であって、図１２（ａ）は、保護カバーが表示画面の前方に取り付けられた状態図、図１２（ｂ）は保護カバーを介してタッチセンサ部が押圧された状態図である。
【符号の説明】
【００６３】
Ｍ、Ｍ２  タッチパネル入力装置
２  ディスプレイ
２ａ  表示画面
５    センサ部
３０  タッチセンサ部
１０、３５  保護カバー
１０ａ  基体
１０ｂ  側壁
【図１】
2007310441.tif 000003
【図２】
2007310441.tif 000004
【図３】
2007310441.tif 000005
【図４】
2007310441.tif 000006
【図５】
2007310441.tif 000007
【図６】
2007310441.tif 000008
【図７】
2007310441.tif 000009
【図８】
2007310441.tif 000010
【図９】
2007310441.tif 000011
【図１０】
2007310441.tif 000012
【図１１】
2007310441.tif 000013
【図１２】
2007310441.tif 000014